(57)【要約】【課題】オリジナル画像と等倍の画像をフィルム上にプリントするための倍率のキャリブレーションを行う。【解決手段】Ｓ１でモードをデュープモードに設定した後に、Ｓ２で倍率較正の動作を開始する。Ｓ３で倍率較正チャート画像は設定されたパラメータに応じて処理され、プリンタに転送する。Ｓ４で転送されたチャート画像は使用するプリンタのプリンタ領域幅一杯まで拡大され、倍率較正用フィルムがプリントされる。Ｓ５で倍率較正用フィルムを画像読取装置にセットし、Ｓ６で倍率較正用フィルムを読み取る。Ｓ７でフィルム読取手段、データ処理手段を用いて画像を形成し、この画像に対して画像処理を行いプリント領域の幅を算出する。Ｓ８でこの値をデュープモードで用いる読取領域パラメータとしてパラメータ記録手段に記録する。Ｓ９でこれらのの動作が終了した後に、画像読取装置はフィルムの読み取りが可能な状態となる。【選択図】　　　　図３
2004080594.tif 000002
【特許請求の範囲】
【請求項１】
シート状媒体に記録された画像を読み取り、デジタル画像データをプリンタに直接出力する画像読取装置において、前記プリンタに倍率較正用の画像を転送してフィルムを出力し、該フィルムを読み取る手段と、読み取った画像に基づいて前記プリンタの画像領域を算出する手段と、前記プリンタの画像領域に基づいて読取領域を決定し、前記プリンタで出力される前記フィルム上の画像の倍率を較正する手段とを有することを特徴とする画像読取装置。
【請求項２】
前記プリンタの画像領域が前記プリンタの画像領域幅であることを特徴とする請求項１に記載の画像読取装置。
【請求項３】
シート状媒体に記録された画像を読み取り、デジタル画像データをプリンタに直接出力する画像読取装置において、前記プリンタに倍率較正用の画像を転送してフィルムを出力し、ユーザが測定した前記フィルム上画像の一部の長さをプリンタ画像領域に対応する値として入力する手段と、前記入力されたプリンタの画像領域に基づき読取領域を決定する手段と、前記プリンタで出力される前記フィルム上の画像の倍率を較正する手段とを有することを特徴とする画像読取装置。
【請求項４】
前記プリンタで出力される前記フィルム上の画像がオリジナルフィルム上の画像の大きさと同じとなるように倍率較正を行う手段を有することを特徴とする請求項１〜３の何れか１つの請求項に記載の画像読取装置。
【請求項５】
前記倍率較正用の画像の画素数の縦横比が２以上又は１／２以下の何れかである請求項１〜４の何れか１つの請求項に記載の画像読取装置。
【請求項６】
２つの前記倍率較正用の画像を転送して２枚のフィルムを出力し、前記２枚のフィルムを読み取り、読み取った画像に基づいて前記プリンタの画像領域幅と画像領域高さをそれぞれ算出することを特徴とする請求項１〜５の何れか１つの請求項に記載の画像読取装置。
【請求項７】
前記倍率較正用の画像を記憶する手段を有する請求項１〜６の何れか１つの請求項に記載の画像読取装置。
【請求項８】
前記シート状媒体はＸ線フィルムであることを特徴とする請求項１〜７の何れか１つの請求項に記載の画像読取装置。
【発明の詳細な説明】
【０００１】
【発明の属する技術分野】
本発明は、画像が形成されたＸ線フィルムから画像を読み取ってデジタル画像信号を形成する画像読取装置に関し、詳しくは読み取ったデジタル画像信号をレーザイメージャ等の画像出力装置に転送して、フィルムのデュープを行う機能を有する画像読取装置に関するものである。
【０００２】
【従来の技術】
従来から、Ｘ線写真やＣＴ、ＭＲＩ等の医用フィルムのデュープは、デュープ元の医用フィルムにデュープ用フィルムを密着させ、ＵＶ等の光源でデュープ用フィルムを感光させて行っている。
【０００３】
デジタル医療機器が普及してきた現在においては、図１０に示すように画像読取装置１でフィルム上に形成された画像を読み取り、読み取ったデジタル画像信号をコンピュータ２に送り、適当な処理を施してレーザイメージャ等の画像出力装置３に転送し、ストレージモードにより複製することも行われるようになっている。
【０００４】
更に最近では、図１１に示すように画像読取装置１でフィルムを読み取った画像を、コンピュータ２を介さずに画像出力装置３に直接転送して、デュープフィルムを得ることができる画像読取装置１が用いられている。このデュープモードによる方法は、コンピュータ２を介さずにデュープフィルムを作成することができるため、作業が簡便であるという利点がある。
【０００５】
しかしながら、図１１の方法によりデュープフィルムを作成する際に、画像読取装置１の読取画像領域と画像出力装置３の描画画像領域が異なる場合に、オリジナルのフィルムとデュープフィルムの大きさが異なってしまうことになる。例えば、胸部写真の撮影では、一般に図１２に示すような半切（３５４×４３０ｍｍ）のフィルムが用いられる。これを画像読取装置１で読み取る際には、左右上下に余白部を含めるため、画像読取範囲はフィルムサイズよりも大きくなる。
【０００６】
例えば、上下左右の余白部がそれぞれ２ｍｍの場合に、画像読取範囲の大きさは図１３に示すように３５８×４３４ｍｍとなる。一方、プリンタで同じ大きさの半切フィルム（３５４×４３０ｍｍ）を出力する際には、左右上下に画像を描画できない領域があるため、画像描画領域はフィルムよりも小さくなる。例えば、図１４に示すように画像描画できない領域が左右上下にそれぞれ１０ｍｍある場合には、画像描画領域は３３４×４１０ｍｍとなる。
【０００７】
画像読取装置１で読み取った画像をプリンタで出力する場合に、プリンタの画像描画領域の縦横の何れかが満杯になるまでフィッティングすることができるが、上述したように画像読取装置によりプリンタに転送された３５８×４３４ｍｍの画像は、図１５に示すように若干縮小された画像としてプリントアウトされてしまう。つまり、画像読取装置１で読み取る画像読取領域とプリンタの画像描画領域が一致しないため、オリジナル画像の異なる大きさの画像がプリントされることになる。
【０００８】
このように作成されたデュープフィルムを用いて診断を行う場合に、オリジナルの画像と大きさが異なるため、正しい診断ができない虞れがある。例えば、画像診断を行う医師が或る部位の長さを測定する場合に、オリジナルフィルム上の長さと異なる値を測定してしまう危険性がある。
【０００９】
これを解決するために、出願人らは使用するプリンタのプリント領域を画像読取装置に予め設定し、スキャナで読み取りを行う領域をプリント領域と等しくすることにより、等倍の画像を複製することができる画像読取装置を提案している。
【００１０】
【発明が解決しようとする課題】
しかしながら上述の従来例においては、使用するプリンタのプリント領域をプリンタのメーカ等に問い合わせたり、或いは実際にプリントされるフィルムのプリント領域を測定し、画像読取装置に入力する必要があって、極めて面倒である。
【００１１】
また、プリンタの光学系の倍率誤差、フィルムスキャナの光学系の倍率誤差、或いはプリント領域を測定する場合には、その測定誤差等の様々な要因のために、複製される画像がオリジナルフィルムの画像と正しく等倍にならない場合が生ずる。
【００１２】
本発明の目的は、上述の問題点を解消し、オリジナルフィルム上の画像と同じサイズの画像を、容易にデュープフィルムにプリントできる画像読取装置を提供することにある。
【００１３】
【課題を解決するための手段】
上記目的を達成するための本発明に係る画像読取装置は、シート状媒体に記録された画像を読み取り、デジタル画像データをプリンタに直接出力する画像読取装置において、前記プリンタに倍率較正用の画像を転送してフィルムを出力し、該フィルムを読み取る手段と、読み取った画像に基づいて前記プリンタの画像領域を算出する手段と、前記プリンタの画像領域に基づいて読取領域を決定し、前記プリンタで出力される前記フィルム上の画像の倍率を較正する手段とを有することを特徴とする。
【００１４】
また、本発明に係る画像読取装置は、シート状媒体に記録された画像を読み取り、デジタル画像データをプリンタに直接出力する画像読取装置において、前記プリンタに倍率較正用の画像を転送してフィルムを出力し、ユーザが測定した前記フィルム上画像の一部の長さをプリンタ画像領域に対応する値として入力する手段と、前記入力されたプリンタの画像領域に基づき読取領域を決定する手段と、前記プリンタで出力される前記フィルム上の画像の倍率を較正する手段とを有することを特徴とする。
【００１５】
【発明の実施の形態】
本発明を図１〜図９に図示の実施の形態に基づいて詳細に説明する。
図１は第１の実施の形態における画像読取装置のブロック回路構成図を示し、この画像読取装置は先の図１０に示すように読み込んだデジタル画像データを、ＨＩＳやＰＡＣＳ等の画像データベースに送る等の一般なストレージモードと、図１１に示すようにデジタル画像データをレーザプリンタ等の画像出力装置に送るデュープモードの２つのモードを有している。
【００１６】
この画像読取装置はストレージモード又はデュープモードを使用する際に、それぞれのモードについて読取画素ピッチや読取濃度範囲、そして画像データベースサーバや画像出力装置のＩＰアドレス等のパラメータを保持する記憶手段を有し、何れかのモードが設定されたときに、そのパラメータを基に読取装置を動作させることができる。
【００１７】
フィルム読取手段１１の出力は、データ処理手段１２、コメント追記手段１３、データ出力手段１４に順次に接続されている。一方、モード選択手段１５の出力がパラメータ決定手段１６に接続され、パラメータ決定手段１６の出力は、フィルム読取手段１１、データ処理手段１２、コメント追記手段１３、データ出力手段１４、チャート画像記憶手段１７のそれぞれに接続されている。チャート画像記憶手段１７の出力はデータ処理手段１２に接続されている。更に、パラメータ決定手段１６はパラメータ記憶手段１８と接続され、パラメータ記憶手段１８にはパラメータ設定手段１９の出力が接続されている。
【００１８】
モード選択手段１５は操作者が読み込んだデジタル画像データをＨＩＳやＰＡＣＳ等の画像データベースに送る等の一般的なストレージモードと、デジタル画像データをレーザプリンタ等の画像出力装置に送るデュープモードのモードとを選択し、選択されたモード情報はパラメータ決定手段１６に出力される。
【００１９】
パラメータ設定手段１９はストレージモード又はデュープモードにおいて利用されるパラメータを設定する。設定されるパラメータは例えば次の表１に示すような各モードの画像の読み取りパラメータに関するもの、例えば濃度範囲、画素ピッチ、階調数、変換テーブル、フォーマット、画像転送先のＩＰアドレス等が挙げられる。
【００２０】
2004080594.tif 000003
【００２１】
パラメータ記憶手段１８は不揮発性メモリやハードディスクドライブ装置等により構成され、パラメータ設定手段１９において設定されたパラメータを記憶し、パラメータ決定手段１６に記録されたパラメータを出力する。パラメータ決定手段１６はモード選択手段１５から出力されたモード情報を基に、適切なパラメータをフィルム読取手段１１、データ処理手段１２、コメント追記手段１３、データ出力手段１４、チャート画像記憶手段１７に出力する。
【００２２】
フィルム読取手段１１はＸ線撮影によって画像が形成されたＸ線フィルムから画像を読み取り、デジタル画像信号を形成する。ここでは、フィルムをハロゲンランプで照明し、その透過光をライン状のＣＣＤを用いて光電変換し、透過光量に対応した電気信号に変換する。勿論、フィルムにレーザービームを照射して、その透過光をフォトマルチプライヤで電気信号に変換する構成であってもよい。
【００２３】
この電気信号はＡ／Ｄ変換器でデジタル画像信号に変換される。この際に用いられるＣＣＤは、例えば７５００画素を有し、フィルムを読み取る際の主走査方向の読取画素ピッチは約５０μｍである。また、副走査方向の読取画素ピッチも５０μｍとなるように、フィルムの搬送速度とＣＣＤの蓄積時間が決定されている。
【００２４】
フィルム読取手段１１で読み取りを行う領域は、ストレージモードとデュープモードによって異なる。ストレージモードでは先の図１３で示すように、フィルムの左右上下各２ｍｍずつのマージンを含む領域を読み取ることにより、フィルム上の全ての画像が画像データとして確実に記録する。
【００２５】
一方、デュープモードでは等倍の画像をプリントするために、使用するプリンタに対して倍率較正を行い、出力するプリンタのプリント領域と一致するような読取領域のみを読み取る。なお、デュープモードにおける倍率較正の方法については後に詳細に説明する。
【００２６】
データ処理手段１２はフィルム読取手段１１で読み取られたデジタル画像信号を、パラメータ決定手段１６に決定されたパラメータに応じて適切にデータを処理する。ここでは、設定された読取画素ピッチとなるように、主走査方向・副走査方向のデータを線形補間により適切な画素サイズに変換する。
【００２７】
また、設定された濃度範囲やビット数になるように、変換テーブルによる変換も行う。この変換テーブルには、パラメータ決定手段１６で決定されたテーブルを用いる。例えば、表１に示すように設定された変換テーブルが濃度リニアである場合は、読み取られた濃度値に対して線形なテーブルでそれぞれの階調数になるように変換する。８ｂｉｔｓの場合は最大値が２５５に、１２ｂｉｔｓの場合は４０９５になるように変換される。
【００２８】
更に、ＪＰＥＧのフォーマットが指定されている場合には、ＪＰＥＧ圧縮による圧縮を行う。フォーマットは他にも、ＤＩＣＯＭフォーマットやＰＧＭフォーマット等があり、これらのフォーマットには読み取った画像データに規定のヘッダを付加する。
【００２９】
コメント追記手段１３はデュープモードの際に複製された画像であることを示すコメントを画像上に追加する。データ出力手段１４はパラメータ決定手段１６に決定されたプリンタや画像データベースサーバに画像を転送する。それぞれの装置がイーサネット（登録商標）で接続されている場合は、通信先アドレスを指定してＤＩＣＯＭ転送やＦＴＰ転送等により、デュープモード時ではプリンタに、ストレージモード時では画像データベースサーバに画像データを転送する。
【００３０】
データ出力手段１４はＤＩＣＯＭのＰｒｉｎｔ　Ｍａｎａｇｅｍｅｎｔ　Ｓｅｒｖｉｃｅ　Ｃｌａｓｓ、つまり診断装置とプリンタを接続し「画像プリント」するデュープモードで用いる機能と、Ｓｔｏｒａｇｅ　Ｓｅｒｖｉｃｅ　Ｃｌａｓｓつまり装置間で画像を「転送」するストレージモードで用いる機能の両方に対応をしている。このため、先の図１０、図１１で示すように、ＤＩＣＯＭ対応のネットワークに接続されている画像データベースサーバや画像出力装置３には、コンピュータ２を介さずに直接転送が可能である。
【００３１】
チャート画像記憶手段１８はハードディスクドライブ装置等から成り、デュープモードで等倍プリントのために行う倍率較正の際に用いる、図２に示すような倍率較正チャート画像２１を記憶しており、例えば１０００×５００の画素数から成るパターンを有している。デュープモードの倍率較正をする際には、この倍率較正チャート画像２１をプリンタに転送して倍率較正用フィルムをプリントし、プリント領域サイズを測定に用いる。
【００３２】
この倍率較正チャート画像２１の縦方向の大きさは横方向と比較して十分に小さいことが望ましい。これはプリント出力する際に、必ず横方向でフィッティングがなされ、プリンタの画像領域幅一杯まで画像が拡大されて、確実にプリント幅が測定できるからるからであり、具体的には縦横比を１対２以上にすることが望ましい。
【００３３】
図３は図１１に示したように画像読取装置１を画像出力装置３に直接、接続して画像を転送し、デュープモードによりフィルムを作成する場合において、フィルムを読み取る前に必要な倍率較正手順のフローチャート図を示している。
【００３４】
先ず、ステップＳ１において、ユーザがモード選択手段１５を介してモードをデュープモードに設定した後に、ステップＳ２において、フィルム読取手段１１に配備された倍率較正開始スイッチを介して倍率較正モードのスタートを指示すると、倍率較正を行うための動作を開始する。ステップＳ３において図２に示すようなチャート画像記録手段１９に記録された倍率較正チャート画像２１は、パラメータ設定手段１７で設定された画素ピッチ、濃度範囲等のパラメータに応じてデータ処理手段１２で処理され、出力先に設定されたプリンタに転送する。
【００３５】
ステップＳ４において、プリンタに転送されたチャート画像は使用するプリンタのプリンタ領域幅一杯まで拡大され、図４に示すような画像を有する倍率較正用フィルム２２がプリント出力される。この出力された画像の幅を計測することにより使用するプリンタのプリント領域幅を知ることができるが、実際にユーザが測定をする必要はない。
【００３６】
次に、ステップＳ５としてユーザは出力された倍率較正用フィルム２２を画像読取装置のサプライトレイにセットした後に、ステップＳ６として制御盤上のディスプレイの指示に従い、フィルム読取ボタンを押すと、画像読取装置はストレージモードと同じ読取領域を用いて倍率較正用フィルムを読み取る。続いてステップＳ７として、フィルム読取手段１１、データ処理手段１２を用いて画像を形成し、その画像に対してエッジ検出等の画像処理を行い、プリンタのプリント領域の幅を算出する。例えば、読み取ったフィルムの極大値を検出することにより、両端部の線の位置を抽出し、その間の画素数を計測するによりプリント領域幅を算出する。
【００３７】
続いてステップＳ８として、この値をデュープモードで用いる読取領域パラメータとしてパラメータ記録手段１７に自動的に記録する。そして、ステップＳ９においてこれらの倍率較正のための動作が終了した後に、画像読取装置はフィルムの読み取りが可能なＲＥＡＤＹ状態となる。
【００３８】
なお上述の動作において、使用するプリンタの光学系の部品誤差等によりプリンタの画像領域が設計値からずれていたとしても、プリンタから出力された倍率較正用フィルム２２にその誤差が反映されているため、画像領域の算出の際には適当に補正される。また同様に、画像読取装置の光学系にも誤差があることが考えられるが、倍率較正用フィルム２２をその光学系で読み取るため、この画像読取装置の光学系の誤差も適当に補正することができ、結果として、常にオリジナルフィルムの画像と正確に、同じ倍率の画像をプリントすることができる。
【００３９】
次に、デュープモードでフィルムを読み取る際の動作について説明する。図５に示すようなＸ線フィルムをフィルム読取手段１１のトレイにセットし、フィルム読取手段１１に配備されたスイッチ等により、Ｘ線フィルムの読取開始を指示すると、フィルム読取手段１１に画素ピッチや濃度範囲等のパラメータと共に、上述の倍率較正動作で得られたプリント領域幅の値が出力される。
【００４０】
例えば、上述の倍率較正動作で求められたプリント幅が３３４ｍｍであり、フィルム読取手段１１の読取画素ピッチが５０μｍである場合に、横方向６６８０画素が読取領域パラメータとしてフィルム読取手段１１に出力されることとなる。読取領域の高さつまり縦方向の長さについては、プリントされる際の倍率が常に横方向で規定されるように、プリント領域よりも常に小さくなるような一定の値、例えば４１０ｍｍが設定されているので、縦方向８２００画素が読取領域パラメータとしてフィルム読取手段１１に出力される。
【００４１】
フィルム読取手段１１はパラメータ決定手段１６から出力されたこれらのパラメータに応じた読み取り条件で、フィルムの読み取りを行う。この例では、オリジナルフィルム上の横３３４ｍｍ、縦４１０ｍｍ（５０μｍのピッチで６６８０×８２００画素）の領域について、読み取って電子化し画像データを生成する。
【００４２】
続いて、この画像データはパラメータ設定手段１９により指定された画素ピッチとなるように、データ処理手段１２において保管処理が施される。例えば、画素ピッチが２００μｍに設定されている場合には、１６７０×２０５０画素の画像が生成されることとなる。その後に、コメント追記手段１３によりフィルムが複製したものであることを示すコメントを画像に追加し、データ出力手段１４にて指定のプリンタに画像データを転送する。
【００４３】
図６はプリンタで出力したデュープフィルムを示しており、プリンタに転送された画像データはプリンタの画像領域と一致しているため、オリジナルフィルムの画像と同じ大きさの画像をデュープフィルム上に得ることができる。
【００４４】
ここで、プリンタが描画する画素ピッチは、必ずしも画像読取装置が読み取る画素ピッチと一致していなくともよい。転送されてきた画像データに対して、プリンタ側でフィッティングを行うように設定すると、縦、横の何れかの画像領域が一杯になるように拡大・縮小されるため、結果としてデュープフィルム上に得られる画像の大きさは、プリンタの描画画素ピッチ、画像読取装置の読取画素ピッチによらず、オリジナルフィルムの画像と同じ大きさになり、診断に好適なデュープフィルムを得ることができる。画像読取装置はプリンタと直接接続されており、介在するＰＣによる操作をすることなく、容易にデュープフィルム作成を行うことが可能となる。
【００４５】
この第１の実施の形態では、読取領域の高さはプリンタによらず一定の値を用いていたが、図７に示す第２の実施の形態においては、プリント領域高さ測定用の倍率較正チャート画像２３を用いて読取領域の高さを決定することもできる。即ち、ユーザがモード選択手段１５でモードをデュープモードに設定し、フィルム読取手段１１に配備された倍率較正開始スイッチにより倍率較正の開始を指示すると、チャート画像記録手段１９に記録された図２、図４に示すような倍率較正チャート画像をプリンタに転送し、プリント領域幅用、プリント領域高さ用の２枚の倍率較正フィルムが出力される。これを画像読取装置の指示に従って順次に読み取り、プリント領域幅、プリント領域高さをそれぞれ算出し、これに等しい長さの読取領域幅と読取領域高さが、読取領域パラメータとしてフィルム読取手段１１に出力されることとなる。
【００４６】
図８は第３の実施の形態のフローチャート図を示しており、第１、第２の実施の形態においては、プリント領域幅の算出は出力した倍率較正用のフィルムを、画像読取装置で読み込み自動的に行う構成になっていたが、必ずしも自動的に行う必要はない。ステップＳ１４で倍率較正用のフィルムをプリントした後に、ステップＳ１５においてユーザが物差し等でプリント領域を測定し、ステップＳ１６で画像読取装置のパラメータ設定手段１６から、プリントパラメータとして入力することもできる。
【００４７】
図９は第４の実施の形態の構成図を示しており、第１〜３の実施の形態において、画像読取装置は図１０で示すようなパーソナルコンピュータの介在が必要のない装置を用いていたが、図９に示すように画像読取装置３１は、画像読取部３２と制御用パーソナルコンピュータ３３を有し、コンピュータ３２からＳＣＳＩ等のインターフェースを介して制御する型式としても、同様のことを行うことがきる。
【００４８】
この場合には、パーソナルコンピュータ３３に倍率較正用の画像データが記録されており、倍率較正用のアプリケーションをパーソナルコンピュータ３３上の制御用アプリケーションにより行う。以下、第１の実施の形態と同様の作業により簡単な作業で等倍の画像を有するデュープフィルムをプリンタ３４を介して作成することができる。
【００４９】
【発明の効果】
以上説明したように本発明に係る画像読取装置は、簡単な操作でオリジナル画像と同じ大きさの画像を有するデュープフィルムをプリントすることができる。また、画像読取装置やプリンタの光学系による倍率の誤差があったとしても適性に補正されるため常に正しく等倍率のデュープフィルムを得ることができる。
【図面の簡単な説明】
【図１】第１の実施の形態の画像読取装置のブロック回路構成図である。
【図２】第１の実施の形態の画像読取装置の倍率較正チャート画像の正面図である。
【図３】倍率較正手順のフローチャート図である。
【図４】倍率較正用フィルムの正面図である。
【図５】画像読取装置で読み取るＸ線フィルムの正面図である。
【図６】プリンタに接続して出力したデュープフィルムの正面図である。
【図７】第２の実施の形態における倍率較正チャート画像の正面図である。
【図８】第３の実施の形態の動作のフローチャート図である。
【図９】第４の実施の形態における画像読取装置の構成図である。
【図１０】従来例の画像読取装置をコンピュータを介して画像出力装置に接続したシステム構成図である。
【図１１】従来例の画像読取装置を画像出力装置に直接接続したシステムの構成図である。
【図１２】従来例の画像読取装置で読み取るＸ線フィルム画像の説明図である。
【図１３】従来例のＸ線フィルム画像を画像読取装置で読取時の読取領域の説明図である。
【図１４】従来例のプリンタの描画領域の説明図である。
【図１５】従来例の画像読取装置の出力画像をプリンタで出力したフィルムの説明図である。
【符号の説明】
１１　フィルム読取手段
１２　データ処理手段
１３　コメント追記手段
１４　データ出力手段
１５　モード選択手段
１６　パラメータ決定手段
１７　チャート画像記憶手段
１８　パラメータ記憶手段
１９　パラメータ設定手段
２１、２３　倍率較正チャート画像
２２　倍率校正用フィルム
【図１】
2004080594.tif 000004
【図２】
2004080594.tif 000005
【図３】
2004080594.tif 000006
【図４】
2004080594.tif 000007
【図５】
2004080594.tif 000008
【図６】
2004080594.tif 000009
【図７】
2004080594.tif 000010
【図８】
2004080594.tif 000011
【図９】
2004080594.tif 000012
【図１０】
2004080594.tif 000013
【図１１】
2004080594.tif 000014
【図１２】
2004080594.tif 000015
【図１３】
2004080594.tif 000016
【図１４】
2004080594.tif 000017
【図１５】
2004080594.tif 000018